(57)【要約】【課題】カメラ等を備えた端末装置と監視装置とを無線ＬＡＮにて接続した遠隔監視システムにおいて、端末装置のＩＰアドレスを監視装置側から簡単に設定できるようにする。【解決手段】端末装置１０には、工場出荷時等に、各端末装置共通の初期固定ＩＰアドレスと端末ＩＤとが付与されたものを用いる。そして、端末装置１０を遠隔監視システムに接続した際には、端末操作権限が付与された主監視装置２０ａに対し、端末装置１０の新規登録を指示する。すると、監視装置２０は、アクセスポイント２を介して、初期固定ＩＰアドレスが付与された端末装置１０を呼び出し、その呼び出しに応えて端末装置１０側から正規の端末ＩＤが送信されてくると、その端末装置１０に対して、新規ＩＰアドレスを送信して、端末装置固有のＩＰアドレスとして登録させる。【選択図】図１
2006304283.tif 000002
【特許請求の範囲】
【請求項１】
監視対象箇所の状態を検出し、該検出結果を無線ＬＡＮ接続用の通信手段を介して送信する複数の端末装置と、
前記各端末装置の通信手段との間で無線通信可能な無線ＬＡＮのアクセスポイントと、
該アクセスポイントを介して前記各端末装置との間で通信を行うことにより、前記各端末装置から前記検出結果を取得し、該取得した検出結果に基づき前記各監視対象箇所の状態を報知する監視装置と、
を備えた遠隔監視システムであって、
前記監視装置は、
前記端末装置の新規登録指令を受けると、前記アクセスポイントを介して初期固定ＩＰアドレスが付与された端末装置を呼び出し、その後、前記アクセスポイントを介してその呼び出しに対する応答信号を受信すると、該応答信号に、予め設定された正規の識別情報が含まれているか否かを判定する端末呼出手段と、
該端末呼出手段が、前記初期固定ＩＰアドレスの端末装置を呼び出し、その呼び出しに対する応答信号に正規の識別情報が含まれていると判断すると、該初期固定ＩＰアドレスの端末装置に対し、前記アクセスポイントを介して、前記初期固定ＩＰアドレスとは異なり且つ現在登録されている他の端末装置のＩＰアドレスとも異なる新規ＩＰアドレスを送信し、該新規ＩＰアドレスを、前記アクセスポイントを介して前記検出結果を取得するのに必要な前記端末装置のＩＰアドレスとして記憶するＩＰアドレス送信手段と、
を備え、
前記各端末装置は、
前記通信手段を介して前記無線ＬＡＮに接続するためのＩＰアドレスの初期値として、各端末装置共通の初期固定ＩＰアドレスが記憶されると共に、当該端末装置の識別情報として、前記各端末装置共通の識別情報が記憶された記憶手段と、
前記通信手段が前記初期固定ＩＰアドレスにて前記無線ＬＡＮに接続している状態で、前記監視装置から、当該端末装置のＩＰアドレスである初期固定ＩＰアドレスに対する呼び出しがあると、該呼び出しに応えて、前記通信手段から前記監視装置に対し、前記記憶手段に記憶された各端末装置共通の識別情報を含む応答信号を送信させる応答手段と、
前記通信手段が、前記監視装置から当該端末装置のＩＰアドレスに向けて送信された新規ＩＰアドレスを受信すると、該通信手段を、該新規ＩＰアドレスにて前記無線ＬＡＮに再接続させる再接続手段と、
を備えたことを特徴とする遠隔監視システム。
【請求項２】
前記監視装置は、前記ＩＰアドレス送信手段が送信する新規ＩＰアドレスを自動で設定するか或いは手動で設定するかを、外部操作によって選択可能であることを特徴とする請求項１に記載の遠隔監視システム。
【請求項３】
監視対象箇所の状態を検出し、該検出結果を無線ＬＡＮ接続用の通信手段を介して送信する複数の端末装置を備えた遠隔監視システムにおいて、無線ＬＡＮのアクセスポイントを介して各端末装置との間で通信を行うことにより、各端末装置から前記検出結果を取得し、該取得した検出結果に基づき前記各監視対象箇所の状態を報知する監視装置であって、
前記端末装置の新規登録指令を受けると、前記アクセスポイントを介して初期固定ＩＰアドレスが付与された端末装置を呼び出し、その後、前記アクセスポイントを介してその呼び出しに対する応答信号を受信すると、該応答信号に、予め設定された正規の識別情報が含まれているか否かを判定する端末呼出手段と、
該端末呼出手段が、前記初期固定ＩＰアドレスの端末装置を呼び出し、その呼び出しに対する応答信号に正規の識別情報が含まれていると判断すると、該初期固定ＩＰアドレスの端末装置に対し、前記アクセスポイントを介して、前記初期固定ＩＰアドレスとは異なり且つ現在登録されている他の端末装置のＩＰアドレスとも異なる新規ＩＰアドレスを送信し、該新規ＩＰアドレスを、前記アクセスポイントを介して前記検出結果を取得するのに必要な前記端末装置のＩＰアドレスとして記憶するＩＰアドレス送信手段と、
を備えたことを特徴とする監視装置。
【請求項４】
無線ＬＡＮのアクセスポイントを介して監視装置との間で通信を行うための通信手段を備え、監視対象箇所の状態を検出して、その検出結果を該通信手段を介して監視装置に送信する端末装置であって、
前記通信手段を介して前記無線ＬＡＮに接続するためのＩＰアドレスの初期値として、各端末装置共通の初期固定ＩＰアドレスが記憶されると共に、当該端末装置の識別情報として、前記各端末装置共通の識別情報が記憶された記憶手段と、
前記通信手段が前記初期固定ＩＰアドレスにて前記無線ＬＡＮに接続している状態で、前記監視装置から、当該端末装置のＩＰアドレスである初期固定ＩＰアドレスに対する呼び出しがあると、該呼び出しに応えて、前記通信手段から前記監視装置に対し、前記記憶手段に記憶された各端末装置共通の識別情報を含む応答信号を送信させる応答手段と、
前記通信手段が、前記監視装置から当該端末装置のＩＰアドレスに向けて送信された新規ＩＰアドレスを受信すると、該通信手段を、該新規ＩＰアドレスにて前記無線ＬＡＮに再接続させる再接続手段と、
を備えたことを特徴とする端末装置。
【発明の詳細な説明】
【技術分野】
【０００１】
本発明は、無線ＬＡＮを利用して複数の監視対象箇所の状態を遠隔監視する遠隔監視システム、及び、このシステムを構成するのに好適な監視装置及び端末装置に関する。
【背景技術】
【０００２】
従来より、無線ＬＡＮのアクセスポイントを監視対象地域に設置すると共に、その地域内の複数箇所に、カメラや炎センサを接続した端末装置を設置し、サーバとなる監視装置がアクセスポイントを介して各端末装置との間で通信を行うことで、監視対象地域内の各箇所の火災の状態を遠隔監視できるようにした遠隔監視システムが知られている（例えば、特許文献１等参照）。
【０００３】
この種の遠隔監視システムにおいては、監視対象箇所に設置した複数の端末装置と監視装置とが無線ＬＡＮを利用して画像等の監視情報を送受信するため、専用の通信線を配線する必要が無く、容易に構築できる。
【特許文献１】特開２００１−１２６１７１号公報
【発明の開示】
【発明が解決しようとする課題】
【０００４】
ところで、上記のように無線ＬＡＮを利用した遠隔監視システムにおいて、各端末装置をアクセスポイント（換言すれば無線ＬＡＮ）に接続して、監視装置との間で情報を送受信できるようにするには、各端末装置毎に、無線ＬＡＮ接続用のＩＰアドレス（詳しくはプライベートＩＰアドレス）を手動で割り当てる必要があり、その設定作業が面倒であるという問題があった。
【０００５】
なお、無線ＬＡＮに限らず、ＩＰアドレスを利用するネットワークでは、ＩＰアドレスを自動で割り当てために、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバを構築することが知られているが、遠隔監視システム（特に小規模な遠隔監視システム）において、こうしたＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバを別途構築するのは費用がかかりすぎ、また管理も面倒であることから、遠隔監視システムにおいて、ＤＨＣＰサーバを構築するのは現実的ではない。
【０００６】
本発明は、こうした問題に鑑みなされたもので、無線ＬＡＮを利用して遠隔監視を行う遠隔監視システムにおいて、ＤＨＣＰサーバを構築することなく、各端末装置のＩＰアドレスを監視装置側から簡単に設定できるようにすることを目的とする。
【課題を解決するための手段】
【０００７】
かかる目的を達成するためになされた請求項１に記載の発明は、監視対象箇所の状態を検出し、該検出結果を無線ＬＡＮ接続用の通信手段を介して送信する複数の端末装置と、前記各端末装置の通信手段との間で無線通信可能な無線ＬＡＮのアクセスポイントと、該アクセスポイントを介して前記各端末装置との間で通信を行うことにより、前記各端末装置から前記検出結果を取得し、該取得した検出結果に基づき前記各監視対象箇所の状態を報知する監視装置と、を備えた遠隔監視システムであって、
前記監視装置は、前記端末装置の新規登録指令を受けると、前記アクセスポイントを介して初期固定ＩＰアドレスが付与された端末装置を呼び出し、その後、前記アクセスポイントを介してその呼び出しに対する応答信号を受信すると、該応答信号に、予め設定された正規の識別情報が含まれているか否かを判定する端末呼出手段と、該端末呼出手段が、前記初期固定ＩＰアドレスの端末装置を呼び出し、その呼び出しに対する応答信号に正規の識別情報が含まれていると判断すると、該初期固定ＩＰアドレスの端末装置に対し、前記アクセスポイントを介して、前記初期固定ＩＰアドレスとは異なり且つ現在登録されている他の端末装置のＩＰアドレスとも異なる新規ＩＰアドレスを送信し、該新規ＩＰアドレスを、前記アクセスポイントを介して前記検出結果を取得するのに必要な前記端末装置のＩＰアドレスとして記憶するＩＰアドレス送信手段とを備え、
前記各端末装置は、前記通信手段を介して前記無線ＬＡＮに接続するためのＩＰアドレスの初期値として、各端末装置共通の初期固定ＩＰアドレスが記憶されると共に、当該端末装置の識別情報として、前記各端末装置共通の識別情報が記憶された記憶手段と、前記通信手段が前記初期固定ＩＰアドレスにて前記無線ＬＡＮに接続している状態で、前記監視装置から、当該端末装置のＩＰアドレスである初期固定ＩＰアドレスに対する呼び出しがあると、該呼び出しに応えて、前記通信手段から前記監視装置に対し、前記記憶手段に記憶された各端末装置共通の識別情報を含む応答信号を送信させる応答手段と、前記通信手段が、前記監視装置から当該端末装置のＩＰアドレスに向けて送信された新規ＩＰアドレスを受信すると、該通信手段を、該新規ＩＰアドレスにて前記無線ＬＡＮに再接続させる再接続手段とを備えたことを特徴とする。
【０００８】
次に、請求項２に記載の発明は、請求項１に記載の遠隔監視システムにおいて、前記監視装置は、前記ＩＰアドレス送信手段が送信する新規ＩＰアドレスを自動で設定するか或いは手動で設定するかを、外部操作によって選択可能であることを特徴とする。
【０００９】
一方、請求項３に記載の発明は、監視対象箇所の状態を検出し、該検出結果を無線ＬＡＮ接続用の通信手段を介して送信する複数の端末装置を備えた遠隔監視システムにおいて、無線ＬＡＮのアクセスポイントを介して各端末装置との間で通信を行うことにより、各端末装置から前記検出結果を取得し、該取得した検出結果に基づき前記各監視対象箇所の状態を報知する監視装置であって、前記端末装置の新規登録指令を受けると、前記アクセスポイントを介して初期固定ＩＰアドレスが付与された端末装置を呼び出し、その後、前記アクセスポイントを介してその呼び出しに対する応答信号を受信すると、該応答信号に、予め設定された正規の識別情報が含まれているか否かを判定する端末呼出手段と、該端末呼出手段が、前記初期固定ＩＰアドレスの端末装置を呼び出し、その呼び出しに対する応答信号に正規の識別情報が含まれていると判断すると、該初期固定ＩＰアドレスの端末装置に対し、前記アクセスポイントを介して、前記初期固定ＩＰアドレスとは異なり且つ現在登録されている他の端末装置のＩＰアドレスとも異なる新規ＩＰアドレスを送信し、該新規ＩＰアドレスを、前記アクセスポイントを介して前記検出結果を取得するのに必要な前記端末装置のＩＰアドレスとして記憶するＩＰアドレス送信手段とを備えたことを特徴とする。
【００１０】
また、請求項４に記載の発明は、無線ＬＡＮのアクセスポイントを介して監視装置との間で通信を行うための通信手段を備え、監視対象箇所の状態を検出して、その検出結果を該通信手段を介して監視装置に送信する端末装置であって、前記通信手段を介して前記無線ＬＡＮに接続するためのＩＰアドレスの初期値として、各端末装置共通の初期固定ＩＰアドレスが記憶されると共に、当該端末装置の識別情報として、前記各端末装置共通の識別情報が記憶された記憶手段と、前記通信手段が前記初期固定ＩＰアドレスにて前記無線ＬＡＮに接続している状態で、前記監視装置から、当該端末装置のＩＰアドレスである初期固定ＩＰアドレスに対する呼び出しがあると、該呼び出しに応えて、前記通信手段から前記監視装置に対し、前記記憶手段に記憶された各端末装置共通の識別情報を含む応答信号を送信させる応答手段と、前記通信手段が、前記監視装置から当該端末装置のＩＰアドレスに向けて送信された新規ＩＰアドレスを受信すると、該通信手段を、該新規ＩＰアドレスにて前記無線ＬＡＮに再接続させる再接続手段とを備えたことを特徴とする。
【発明の効果】
【００１１】
請求項１に記載の遠隔監視システムにおいては、監視装置に対して、外部から新規登録指令を入力すると、監視装置の端末呼出手段が、無線ＬＡＮのアクセスポイントを介して、初期固定ＩＰアドレスが付与された端末装置を呼び出し、その後、アクセスポイントを介してその呼び出しに対する応答信号を受信すると、その応答信号に、予め設定された正規の識別情報が含まれているか否かを判定する。
【００１２】
そして、このように、監視装置の端末呼出手段が初期固定ＩＰアドレスが付与された端末装置を呼び出したときに、無線ＬＡＮのアクセスポイントに、初期固定ＩＰアドレスが付与された正規の端末装置が接続されていれば、その端末装置の応答手段が、記憶手段から各端末装置共通の正規の識別情報を読み出し、この識別情報を含む応答信号を送信することから、この場合には、端末呼出手段にて、応答信号に正規の識別情報が含まれていると判断されることになる。
【００１３】
またこのように、監視装置の端末呼出手段にて、応答信号に正規の識別情報が含まれていると判断されると、監視装置のＩＰアドレス送信手段が、その応答信号を送信してきた初期固定ＩＰアドレスの端末装置に対し、アクセスポイントを介して、初期固定ＩＰアドレスとは異なり且つ現在登録されている他の端末装置のＩＰアドレスとも異なる新規ＩＰアドレスを送信し、その送信した新規ＩＰアドレスを、アクセスポイントを介して検出結果を取得するのに必要な端末装置のＩＰアドレスとして記憶する。
【００１４】
またこのように、監視装置のＩＰアドレス送信手段が、新規ＩＰアドレスを送信すると、応答信号を送信した初期固定ＩＰアドレスの端末装置側では、通信手段が、監視装置のＩＰアドレス送信手段が送信した新規ＩＰアドレスを受信する。すると、再接続手段が、通信手段を、新規ＩＰアドレスにて無線ＬＡＮに再接続させる。
【００１５】
従って、本発明の遠隔監視システムによれば、端末装置の記憶手段には、工場出荷時等に、無線ＬＡＮへの接続用の初期固定ＩＰアドレスと各端末装置共通の識別情報とを登録しておき、その使用時には、その登録された初期固定ＩＰアドレスを利用して無線ＬＡＮに接続させて、その後、監視装置に新規登録指令を入力すれば、監視装置から端末装置に対して固有のＩＰアドレスが自動で割り付けられることになる。
【００１６】
よって、本発明の遠隔監視システムによれば、ＤＨＣＰサーバを構築することなく、監視装置側から各端末装置に固有のＩＰアドレスを付与することができるようになる。
なお、このように固有のＩＰアドレス（新規ＩＰアドレス）が割り付けられると、端末装置は、その割り付けられたＩＰアドレスにて無線ＬＡＮに再接続されることから、監視装置は、このＩＰアドレスにて端末装置と通信を行い、検出結果を取得することができるようになる。
【００１７】
次に、請求項２に記載の遠隔監視システムにおいては、監視装置が、端末装置に割り当てるＩＰアドレス（新規ＩＰアドレス）を自動で設定するか手動で設定するかを、外部操作によって選択できるように構成されていることから、使用者は、各端末装置に付与するＩＰアドレスを所望アドレスに手動で設定できることになり、使い勝手を向上できる。
【００１８】
一方、請求項３に記載の監視装置は、請求項１に記載の監視装置と同様、端末呼出手段とＩＰアドレス送信手段とを備える。このため、請求項３に記載の監視装置を利用すれば、請求項１に記載の監視システムを構築して、請求項１と同様の効果を得ることができるようになる。なお、この監視システムの構築には、下記の端末装置を利用すればよい。
【００１９】
次に、請求項４に記載の端末装置は、請求項１に記載の端末装置と同様、記憶手段と応答手段と再接続手段とを備える。このため、請求項４に記載の端末装置を利用すれば、請求項３に記載の監視装置と組み合わせることにより、請求項１に記載の監視システムを構築して、請求項１と同様の効果を得ることができるようになる。
【発明を実施するための最良の形態】
【００２０】
以下に、本発明の一実施形態を図面と共に説明する。
図１は本実施形態の遠隔監視システム全体の構成を表す概略構成図である。
図１に示すように、本実施形態の遠隔監視システムは、複数の端末装置１０ａ，１０ｂ，…と、複数の監視装置２０ａ，２０ｂ…と、これら各部と無線通信を行うことにより無線ＬＡＮを構築するアクセスポイント２とから構成されている。
【００２１】
ここで、アクセスポイント２は、無線ＬＡＮの一般的な仕様である「ＩＥＥＥ８０２．１１ｂ」に準拠したプロトコルにて上記各部と無線通信を行うことで、上記各部の間で行われるデータ通信を中継する周知のものであり、予め設定されたＩＰアドレスが登録されている。
【００２２】
次に、各端末装置１０ａ，１０ｂ，…は、マイクロコンピュータにて構成されており、それぞれ、任意の監視対象箇所に設置されている。そして、これら各端末装置１０ａ，１０ｂ，…には、アクセスポイント２との間で無線通信を行うために、通信手段としての無線送受信機１９ａ，１９ｂ，…が接続されると共に、監視対象箇所の状態を検出する検出手段として、監視対象箇所の画像を撮像するカメラ１２ａ，１４ｂ，…、周囲の音を取り込むためのマイクロフォン（マイク）１４ａ、１４ｂ，…、監視対象箇所への第三者の不正侵入を検知するためのセンサ１６ａ，１６ｂ，…、等が接続されている。
【００２３】
また、各端末装置１０ａ，１０ｂ，…には、監視装置２０ａ，２０ｂ，…若しくは他の端末装置１０から送信されてきた音声を発生するためのスピーカ１８ａ，１８ｂも接続されている。そして、各端末装置１０ａ，１０ｂ，…には、記憶手段として、生産工場からの出荷時に設定される各端末装置共通の識別情報（端末ＩＤ）が登録されると共に、アクセスポイントを介して他の装置との間でデータ通信を行うための（換言すれば無線ＬＡＮへの接続用の）初期固定ＩＰアドレスが登録されたメモリＭ（不揮発性メモリであるＥＥＰＲＯＭ等からなる）が内蔵されている。
【００２４】
なお、この初期固定ＩＰアドレスは、識別情報（端末ＩＤ）と同様、各端末装置共通のアドレスであり、各端末装置１０ａ，１０ｂ，…は、当該装置の起動後、装置固有のＩＰアドレスが設定される迄、初期固定ＩＰアドレスを利用してアクセスポイント（つまり無線ＬＡＮ）に接続する。
【００２５】
一方、監視装置２０ａ，２０ｂ，…は、パーソナルコンピュータ（所謂パソコン）から構成されており、任意の監視場所に設置されている。そして、各監視装置２０ａ，２０ｂ，…には、各端末装置１０ａ，１０ｂ，…と同様、アクセスポイント２との間で無線通信を行うために、通信手段としての無線送受信機２９ａ，２９ｂ，…が接続されている。
【００２６】
また、各監視装置２０ａ，２０ｂ，…には、各端末装置１０ａ，１０ｂ，…から送信されてきた画像や音声を再生するための表示部２２ａ，２２ｂ，…、及び、スピーカ２８ａ，２８ｂが接続されると共に、各監視装置２０ａ，２０ｂ，…に対し各種指令を入力するための操作部（キーボード，マウス等からなる）２４ａ，２４ｂ，…が接続されている。
【００２７】
そして、これら各監視装置２０ａ，２０ｂ，…にも、アクセスポイント２を介して他の装置との間でデータ通信を行うためのＩＰアドレスが登録されている。
なお、上記説明で各符号に付与した添え字ａ，ｂ，…は、同一のものを区別するためのものであるが、以下の説明において、特に区別する必要のないときは、例えば、端末装置１０として、添え字ａ，ｂ，…の記載は省略する。
【００２８】
上記のように構成された遠隔監視システムでは、各端末装置１０が、アクセスポイント２を介して送信されてくる指令に従い、カメラ１２、マイク１４、センサ１６からの入力信号（映像信号、音声信号、検知信号）をデジタルデータに変換して取り込み、これを監視データとして、無線送受信機１９、アクセスポイント２を介して、要求元に送信する。
【００２９】
また、監視装置２０は、無線送受信機２９を介して、各端末装置１０から送信された監視データを取得し、内蔵した記憶媒体（ハードディスク等）に記憶すると共に、受信データの内、予め設定されたデータを選択して、表示部２２に画像を表示したり、スピーカ２８から音声や警告音を出力させる。
【００３０】
また、監視装置２０は複数存在するが、その内の一つ（図では監視装置２０ａ）は、他の監視装置２０よりも上位の主監視装置として設定され、他の監視装置２０にはない特定の機能が付与される。
【００３１】
具体的には、主監視装置２０ａには、操作部２４ａを介して入力される指令に従い、各端末装置１０の動作を設定したり、主監視装置２０ａに接続されたマイク２６ａ及びスピーカ２８ａと各端末装置１０に接続されたマイク１４及びスピーカ１８とを利用して、各端末装置１０との間で音声通話を行うための機能が付与され、他の監視装置２０ｂ，…には、副監視装置として、各端末装置１０から送信された監視データをモニタする機能のみが付与される。
【００３２】
そして、本実施形態では、各監視装置２０は、アクセスポイント２に接続された監視装置２０が一台であるときには必ず主監視装置として設定できるようにされている。
つまり、各監視装置２０を構成しているパソコンの電源を入れて、監視装置２０としての機能を実現するためのプログラムを起動すると、最初に、図２に示す起動時設定処理が実行される。
【００３３】
そして、この起動時設定処理が実行されると、監視装置２０は、アクセスポイント２を介して無線ＬＡＮに接続されている他の装置を検索し（Ｓ１１０：Ｓはステップを表す）、無線ＬＡＮには他の監視装置２０が接続されているか否かを判断する（Ｓ１２０）。そして、無線ＬＡＮに他の監視装置２０が接続されていなければ（Ｓ１２０：ＮＯ）、主監視装置となるように自身の機能を設定し（Ｓ１３０）、無線ＬＡＮに他の監視装置２０が接続されていれば（Ｓ１２０：ＹＥＳ）、副監視装置となるように自身の機能を設定する（Ｓ１４０）。
【００３４】
また、このように主監視装置としての機能が付与された監視装置２０には、使用者が操作部２４ａを操作することにより、アクセスポイント２に接続された端末装置１０に対して固有のＩＰアドレスを設定したり、或いは、端末装置１０からの送信データが漏洩しないように、各端末装置１０毎にＥＳＳＩＤ（Ｅｘｔｅｎｄｅｄ  Ｓｅｒｖｉｃｅ  Ｓｅｔ  Ｉｄｅｎｔｉｆｉｅｒ）等の暗号化コードを設定する、端末操作権限が付与される。
【００３５】
そして、この端末操作権限は、各監視装置２０の使用者が端末装置１０を遠隔監視システムに登録したりその登録内容を変更するために操作部２４を介して端末設定指令を入力した際に、図３に示す一連の端末設定処理を実行可能か否かを判定するのに利用される。
【００３６】
つまり、各監視装置２０は、操作部２４を介して端末設定指令が入力されると、図３に示す端末設定処理を実行する。
そして、この端末設定処理では、まずＳ２１０にて、監視装置２０自身に端末装置１０の端末操作権限が付与されているか否かを判断し、端末操作権限が付与されていなければ、そのまま端末設定処理を終了する。
【００３７】
一方、Ｓ２１０にて、端末操作権限が付与されていると判断されると、Ｓ２２０に移行して、端末装置１０の登録設定画面を表示部２２に表示し、続くＳ２３０にて、使用者がこの登録設定画面を見て操作部２４を操作することにより端末装置１０の新規登録を指示してきたか否かを判断する。
【００３８】
そして、新規登録が指示された場合には、Ｓ２４０に移行して、アクセスポイント２を介して、初期固定ＩＰアドレスの端末装置１０を呼び出す。
つまり、本実施形態の遠隔監視システムでは、工場出荷時に上述の端末ＩＤと共に初期固定ＩＰアドレスが登録された端末装置１０を用いるようにされており、ここでは、この初期固定ＩＰアドレスの端末装置１０を新規登録の対象となる端末装置１０として呼び出すのである。
【００３９】
なお、この初期固定ＩＰアドレスは、アクセスポイント２や監視装置２０のＩＰアドレスと同一グループに属し、初期固定ＩＰアドレスが付与された端末装置１０は、電源投入後に無線ＬＡＮに接続されて、アクセスポイント２との間で無線通信が可能となるのは、いうまでもない。
【００４０】
また、本実施形態では、Ｓ２４０にて端末装置１０を呼び出す際には、その呼出指令に端末ＩＤを付与することで、監視装置以外の装置から端末装置１０が不正に呼び出されるのを防止している。
【００４１】
次に、上記のように初期固定ＩＰアドレスの端末装置１０を呼び出すと、今度は、Ｓ２５０にて、その呼び出しに応答してきた端末装置１０が存在するか否かを判断する。そして、応答してきた端末装置１０がなければ、新規登録すべき端末装置１０はアクセスポイント２に接続されていないと判断して、そのまま当該端末設定処理を終了する。
【００４２】
一方、Ｓ２５０にて、呼び出しに応答してきた端末装置１０が存在すると判断されると、Ｓ２６０にて、その端末装置１０からの送信データに含まれる端末ＩＤを取得し、続くＳ２７０にて、この端末ＩＤは、予め登録されている正規のものか否かを判断する。
【００４３】
そして、Ｓ２７０にて、取得した端末ＩＤは正規のものではないと判断されると、そのまま当該端末設定処理を終了し、逆に、端末ＩＤは正規のものであると判断されると、Ｓ２８０に移行して、応答してきた端末装置１０に対してＩＰアドレスを自動で登録するか或いは手動で登録するを判定する。なお、ＩＰアドレスを手動登録するか否かは、Ｓ２２０にて表示部２２に表示した設定画面上で使用者が指定できるようにされている。
【００４４】
Ｓ２８０では、その設定画面上でＩＰアドレスの手動登録が指定されていなければ、ＩＰアドレスを自動登録するものと判断して、Ｓ２９０に移行する。そして、このＳ２９０では、当該システムに既に登録されている端末装置１０のＩＰアドレスの一覧である端末登録データを読み込む。
【００４５】
また続くＳ３００では、その端末登録データに登録されていない空きＩＰアドレスの中から、端末装置１０に登録すべき新規ＩＰアドレスを選択し、その新規ＩＰアドレスを、呼び出しに応答してきた端末装置１０（つまり現在初期固定ＩＰアドレスが設定された端末装置１０）に送信する。
【００４６】
この結果、端末装置１０側で実行される後述の応答処理（図４参照）によって、監視装置２０からの呼び出しに応答した端末装置１０のＩＰアドレスが、初期固定ＩＰアドレスから新規ＩＰアドレスに変更されることになる。
【００４７】
なお、本実施形態では、Ｓ３００にて端末装置１０に新規ＩＰアドレスを送信する際、送信信号に端末ＩＤを付与することで、端末装置１０のＩＰアドレスが、監視装置２０以外の装置から不正に送信されたＩＰアドレスに書き換えられるのを防止している。
【００４８】
そして、Ｓ３００にて端末装置１０に新規ＩＰアドレスを送信すると、続くＳ３１０に移行して、その送信した新規ＩＰアドレスを、端末登録データに書き込むことで、端末登録データを更新し、当該端末設定処理を一旦終了する。
【００４９】
一方、Ｓ２８０にて、設定画面上でＩＰアドレスの手動登録が指定されていると判定された場合には、Ｓ３２０に移行して、端末登録データを読み込み、続くＳ３３０にて、その端末登録データに登録されている登録済みのＩＰアドレスと端末装置１０に新規登録可能な空きＩＰアドレスとを表示部２２の表示画面上に一覧表示する。なお、この表示画面は、使用者が操作部２４を操作することによって、一覧表示されている空きＩＰアドレスの一つを新規ＩＰアドレスとして選択できるようにされている。
【００５０】
そして、続くＳ３４０では、その表示画面上で空きＩＰアドレスの一つが新規ＩＰアドレスとして選択されたか否かを判定し、空きＩＰアドレスが選択されていなければ、再度Ｓ３３０に移行することにより、表示画面上で空きＩＰアドレスが選択されるのを待つ。
【００５１】
次に、Ｓ３４０にて、空きＩＰアドレスの一つが新規ＩＰアドレスとして選択されたと判断されると、Ｓ３５０に移行して、その選択された空きＩＰアドレスを、新規ＩＰアドレスとして端末装置に送信することで、呼び出しに応答してきた端末装置１０のＩＰアドレスを、初期固定ＩＰアドレスから新規ＩＰアドレスに変更させる。
【００５２】
なお、Ｓ３５０にて端末装置１０に新規ＩＰアドレスを送信する際には、Ｓ３００の処理と同様、その送信信号に端末ＩＤを付与するようにされている。
そして、その後は、Ｓ３１０に移行して、その送信した新規ＩＰアドレスを、端末登録データに書き込むことで、端末登録データを更新し、当該端末設定処理を一旦終了する。
【００５３】
次に、Ｓ２３０にて、端末装置１０の新規登録は指示されていないと判断された場合には、Ｓ３６０に移行して、使用者は、端末装置１０のＩＰアドレスの登録変更を指示してきたか否かを判断する。
【００５４】
そして、ＩＰアドレスの登録変更が指示されていれば、Ｓ３７０に移行して、使用者がＩＰアドレスの登録変更指令と共に入力してきた登録変更の対象となる端末装置１０のＩＰアドレスを取得する。
【００５５】
そして、その後は、上述したＳ３２０〜Ｓ３４０の処理を実行することにより、使用者に、空きＩＰアドレスの中から新規ＩＰアドレスを選択させ、Ｓ３５０にて、その新規ＩＰアドレスを、登録変更の対象となる端末装置１０（ここではＳ３７０で取得したＩＰアドレスの端末装置１０）に新規ＩＰアドレスを送信することで、その端末装置１０のＩＰアドレスを、既に登録されているＩＰアドレスから新規ＩＰアドレスに変更させる。
【００５６】
また、このように端末装置１０に新規ＩＰアドレスを送信した後は、Ｓ３１０にて、その送信した新規ＩＰアドレスを端末登録データに書き込み、端末装置１０の元のＩＰアドレスを端末登録データから削除することで、端末登録データを更新し、当該端末設定処理を一旦終了する。
【００５７】
また次に、Ｓ３６０にて、端末装置１０のＩＰアドレスの登録変更は指示されていないと判断された場合には、Ｓ３８０に移行して、使用者は暗号化コードの登録を指示してきたか否かを判断する。
【００５８】
そして、暗号化コードの登録が指示されていなければ、そのまま当該端末設定処理を一旦終了し、暗号化コードの登録が指示されていれば、Ｓ３９０に移行して、使用者が暗号化コードの登録指令と共に入力してきた端末装置のＩＰアドレスを取得する。
【００５９】
そして、続くＳ４００では、Ｓ３９０で取得したＩＰアドレスの端末装置１０に対し暗号化コードを送信することで、その端末装置１０に暗号化コードを登録させ、当該端末設定処理を一旦終了する。
【００６０】
なお、Ｓ４００にて暗号化コードを送信した端末装置１０は、その後、監視データを、暗号化コードを使って暗号化して送信してくることから、Ｓ４００では、単に端末装置１０に暗号化コードを送信するだけではなく、その送信した暗号化コードと暗号化コードを送信した端末装置１０のＩＰアドレスとを記憶することで、その後、この端末装置１０から送信されてくる暗号化データ（監視データ）を、その暗号化データに対応する暗号化コードを用いて正確に復号できるようにしている。
【００６１】
また、Ｓ４００にて端末装置１０に暗号化コードを送信する際には、Ｓ３００やＳ３５０の処理と同様、その送信信号に端末ＩＤを付与するようにされている。
また、本実施形態では、端末操作権限が付与された監視装置２０（主監視装置２０ａ）側から、各端末装置１０からの監視データの送信動作を制御することができるが、その動作設定のための指令信号を監視装置２０側から送信する際にも、その指令信号に端末ＩＤを付与することで、監視装置２０以外の装置から各端末装置１０を不正に操作することができないようにしている。
【００６２】
次に、図４は、各端末装置１０を構成するマイクロコンピュータにおいて、監視装置２０（詳しくは主監視装置２０ａ）から送信されてきた各種指令信号に応じてＩＰアドレスの設定、監視データの送信等を行うために実行される応答処理を表すフローチャートである。
【００６３】
この応答処理は、端末装置１０の起動後、繰り返し実行される処理であり、処理が開始されると、まずＳ５１０にて、無線送受信機１９にて、主監視装置２０ａから当該端末装置１０に対し送信されてきた指令信号が受信されたか否かを判断することにより、無線送受信機１９にて指令信号が受信されるのを待つ。
【００６４】
そして、Ｓ５１０にて、主監視装置２０ａからの指令信号が受信されたと判断されると、Ｓ５２０にて、その受信信号を復号化した受信データを読み込み、続くＳ５３０にて、その受信データに、自身の端末ＩＤと同じ端末ＩＤが付与されているか否かを判断する。
【００６５】
そして、受信データに自身の端末ＩＤが付与されていなければ、今回受信した指令信号は、正規の主監視装置２０ａからのものではなく、他の装置から当該端末装置１０に向けて不正に送信されてきた指令信号であると判断して、Ｓ５１０に移行し、逆に、受信データに自身の端末ＩＤが付与されていれば、今回受信した指令信号は、正規の主監視装置２０ａからのものであると判断して、Ｓ５４０に移行する。
【００６６】
Ｓ５４０では、受信データは、当該端末装置１０を呼び出して、端末ＩＤを含む応答信号を返信させる呼出指令であるか否かを判断し、受信データが呼出指令であれば、Ｓ５５０に移行して、端末ＩＤを含む応答信号（データ）を生成し、この応答信号を、無線送受信機１９からアクセスポイント２（延いては主監視装置２０ａ）に向けて送信させ、再度Ｓ５１０に移行する。
【００６７】
また、Ｓ５４０にて、受信データが呼出指令ではないと判断されると、Ｓ５６０に移行して、受信データは新規ＩＰアドレスを含むＩＰアドレスの設定指令であるか否かを判断する。そして、受信データがＩＰアドレスの設定指令であれば、Ｓ５７０に移行して、現在無線ＬＡＮ（詳しくはアクセスポイント２）への接続用としてメモリＭに記憶されているＩＰアドレスを、受信データに含まれる新規ＩＰアドレスに変更する。
【００６８】
また、こうして無線ＬＡＮ接続用のＩＰアドレスを、主監視装置２０ａから送信されてきた新規ＩＰアドレスに変更すると、今度は、Ｓ５８０に移行して、無線送受信機１９ａを再起動することで、当該端末装置１０ａを、新規ＩＰアドレスにて無線ＬＡＮ（詳しくはアクセスポイント２）に再接続させ、再度Ｓ５１０に移行する。
【００６９】
次に、Ｓ５６０にて、受信データはＩＰアドレスの設定指令ではないと判断された場合には、Ｓ５９０に移行して、受信データは、暗号化コードを含む暗号化指令であるか否かを判断する。
【００７０】
そして、受信データは、暗号化指令であれば、Ｓ６００に移行して、受信データから暗号化コードを抽出し、この暗号化コードを、その後、監視データの送信時に監視データを暗号化するのに使用する暗号化コードとしてメモリＭに記憶し、再度Ｓ５１０に移行する。
【００７１】
また次に、Ｓ５９０にて、受信データは暗号化指令ではないと判断された場合には、Ｓ６１０に移行して、受信データは、当該端末装置１０からの監視データの送信動作を設定するためのデータ送信指令であるか否かを判断する。
【００７２】
そして、受信データがデータ送信指令であれば、Ｓ６２０に移行して、その指令内容に従い監視データを送信するように監視データ送信処理を起動し、再度Ｓ５１０に移行する。
【００７３】
以上説明したように、本実施形態の遠隔監視システムによれば、端末操作権限が付与された監視装置２０（詳しくは主監視装置２０ａ）に対し、操作部２４を介して、端末装置１０の新規登録を指示すると、監視装置２０が、アクセスポイント２を介して、初期固定ＩＰアドレスが付与された端末装置１０を呼び出し、その呼び出しに応えて端末装置１０側から正規の端末ＩＤが送信されてくると、その端末装置１０に対して、新規ＩＰアドレスを送信して、端末装置固有のＩＰアドレスとして登録させる。
【００７４】
このため、本実施形態によれば、  端末装置１０に対して、初期固定ＩＰアドレスと端末装置の識別情報である端末ＩＤを登録しておき、その使用時には、初期固定ＩＰアドレスを利用してアクセスポイント２に接続させて、その後、監視装置２０に端末装置１０の新規登録指令を入力するようにすれば、端末装置１０に対して、無線ＬＡＮ上で固有のＩＰアドレスを割り付け、そのＩＰアドレスにて無線ＬＡＮに接続させることができる。
【００７５】
よって、本実施形態によれば、ＤＨＣＰサーバを構築することなく、監視装置２０側から各端末装置１０に固有のＩＰアドレスを付与することができるようになる。
また、本実施形態では、監視装置２０（詳しくは主監視装置２０ａ）側で、端末装置１０を新規登録する際、端末装置１０に付与する新規ＩＰアドレスを自動で設定するか、或いは手動で設定するかを、使用者が選択することができる。従って、管理者は、新規ＩＰアドレスを手動で指定することにより、例えば、各端末装置１０に対し、ＩＰアドレスからその設置場所を識別できるように新規ＩＰアドレスを設定する、といったことができる。
【００７６】
また更に、本実施形態では、端末装置１０の新規登録時に付与した端末装置固有のＩＰアドレスを、監視装置２０（詳しくは主監視装置２０ａ）を介して変更することができるので、使用者が各端末装置１０のＩＰアドレスを監視する際の使い勝手を向上できる。
【００７７】
また、本実施形態では、各端末装置１０が監視データを送信する際に、そのデータを暗号化するか否かについても、監視装置２０（詳しくは主監視装置２０ａ）側から設定できる。従って、使用者は、セキュリティ性と、監視装置以外の装置による監視データのモニタのし易さ等を考慮して、監視データを暗号化するか否かを選択できることになり、この点からもシステムの使い勝手を向上することができる。
【００７８】
また更に、各端末装置１０は、監視装置２０（詳しくは主監視装置２０ａ）からの指令に従い、ＩＰアドレスの設定・変更、暗号化コードの設定、監視データの送信動作の設定、等を行うが、これらの設定動作は、指令信号に自身の端末ＩＤが付与されているときに限って行うようになっており、指令信号に自身の端末ＩＤが付与されていなければ、これらの設定動作を禁止するようにされている。
【００７９】
従って、例えば、端末装置１０のＩＰアドレスが外部に漏れて、第三者が、そのＩＰアドレスを使用して、端末装置１０から画像データを不正に取得しようとしても、端末ＩＤがわからないので、こうした不正行為を実行することはできない。よって、本実施形態の監視システムによれば、セキュリティ性を向上することもできる。
【００８０】
以上、本発明の一実施形態について説明したが、本発明は、上記実施形態に限定されるものではなく、本発明の要旨を逸脱しない範囲内にて、種々の態様を採ることができる。
例えば、上記実施形態では、アクセスポイント２には、複数の監視装置２０を接続可能で、そのうちの一つに、端末装置１０を遠隔操作可能な端末操作権限が付与されるものとして説明したが、アクセスポイント２に接続される複数の監視装置２０の各々に端末操作権限を付与するようにしてもよい。
【図面の簡単な説明】
【００８１】
【図１】実施形態の遠隔監視システム全体の構成を表す概略構成図である。
【図２】監視装置で実行される起動時設定処理を表すフローチャートである。
【図３】監視装置で実行される端末設定処理を表すフローチャートである。
【図４】端末装置で実行される応答処理を表すフローチャートである。
【符号の説明】
【００８２】
２…アクセスポイント、１０（１０ａ，１０ｂ）…端末装置、１２（１２ａ，１２ｂ）…カメラ、１４（１４ａ，１４ｂ）…マイク、１６（１６ａ，１６ｂ）…センサ、１８（１８ａ，１８ｂ）…スピーカ、１９（１９ａ，１９ｂ）…無線送受信機、Ｍ…メモリ、２０（２０ａ，２０ｂ）…監視装置、２２（２２ａ，２２ｂ）…表示部、２４（２４ａ，２４ｂ）…操作部、２６（２６ａ，２６ｂ）…マイク、２８（２８ａ，２８ｂ）…スピーカ、２９（２９ａ，２９ｂ）…無線送受信機。
【図１】
2006304283.tif 000003
【図２】
2006304283.tif 000004
【図３】
2006304283.tif 000005
【図４】
2006304283.tif 000006